(57)【要約】【課題】携帯端末に対する初期設定を自動的に行うことを可能にする装置を提供する。【解決手段】初期設定装置は、工場出荷状態の携帯端末を使用可能にするための初期設定を自動的に行う。この装置は、初期設定に必要な設定情報を携帯端末に対して送信する出力部と、携帯端末を出力部に対して接続するケーブルと、携帯端末の初期設定に必要なスクリプトを記憶するメモリーカードと、スクリプトの実行を制御する制御部と、制御部に対しスクリプトの実行を指示する操作部を有する。制御部がスクリプトの実行を開始すると、該スクリプトに基づいて設定情報が生成され、ケーブルを介して携帯端末に送信される。初期設定装置から携帯端末に送信される設定情報には、初期設定に必要な動作を携帯端末に実行させるための一連の動作情報が含まれる。従来では手作業に頼っていた初期設定作業を自動化することが可能になり、多数の携帯端末に対する初期設定が簡単になる。【選択図】図１
2019087793.tif 000002
【特許請求の範囲】
【請求項１】
工場出荷時状態の携帯端末を使用可能にするための初期設定を自動的に行う装置であって、
初期設定に必要な設定情報を携帯端末に対して送信する出力部と、
前記携帯端末を前記出力部に対して電気的に接続するためのケーブルと、
前記携帯端末の初期設定に必要なスクリプトを記憶するための情報記憶部と、
前記スクリプトの実行を制御するための制御部と、
前記制御部に対し前記スクリプトの実行を指示するための操作部と、を有しており、
制御部が前記スクリプトの実行を開始すると、該スクリプトに基づいて前記設定情報が生成され、出力部とケーブルを介して携帯端末に送信される、
ことを特徴とする携帯端末の初期設定装置。
【請求項２】
初期設定に必要な前記設定情報には、初期設定に必要な動作を携帯端末に実行させるための動作情報が含まれている、ことを特徴とする請求項１に記載の携帯端末の初期設定装置。
【請求項３】
前記情報記憶部がメモリーカードで構成され、
メモリーカードから前記スクリプトを読み出すための読出部を、更に有していることを特徴とする請求項１又は２に記載の携帯端末の初期設定装置。
【請求項４】
インターネットを介して前記スクリプトを受信するための通信部を、更に有しており、
インターネットを介して受信した前記スクリプトは、初期設定装置の情報記憶部で記憶される、ことを特徴とする請求項１又は２に記載の携帯端末の初期設定装置。
【請求項５】
工場出荷時状態の携帯端末を使用可能にするための初期設定を、請求項１に記載の装置を用いて自動的に行う方法において、
操作部から制御部に対し初期設定用スクリプトの実行を指示するステップと、
制御部が前記スクリプトに基づいて設定情報を生成し、出力部とケーブルを介して携帯端末に送信するステップと、
携帯端末が、初期設定装置から受信した前記設定情報に基づいて、初期設定に必要な動作を実行するステップと、
を含む携帯端末の初期設定方法。
【発明の詳細な説明】
【技術分野】
【０００１】
本発明は、工場出荷時の状態の各種携帯端末（例えば、スマートフォン、タブレット端末、携帯電話など）に対する初期設定を自動的に行うことを可能にする初期設定装置および初期設定方法に関する。
【背景技術】
【０００２】
スマートフォン、タブレット端末、携帯電話などの各種携帯端末は、工場出荷時の状態では、実質的に使用することができない。すなわち、電源を入れて起動させることはできても、無線通信や通話、電子メールなどの携帯端末の機能を発揮させることができない。
【０００３】
このような工場出荷時状態の携帯端末を実質的に使用できるようにするためには、使用言語、居住地域、キーボードの選択などの必要項目（初期設定の完了に必要な項目）を設定して、使用可能状態にする必要がある。初期設定を完了して携帯端末を使用可能状態にすることで、当該携帯端末は、無線通信や通話などの機能を発揮できるようになる。
【０００４】
携帯販売代理店、会社、学校、各種団体などでは、多数の携帯端末を扱っているため、（例えば新しいスマートフォンを一度に多数仕入れる場合や納品する場合などには）携帯端末の納品直後や直前に、一度に多くの初期設定作業が必要となる。
【０００５】
このように一度に多数の携帯端末に対する初期設定作業が必要な場合において、従来では、一括での初期設定作業は、作業者が、携帯端末の画面に表示された設定項目を目視によって確認しながら、一台一台手作業で行っているのが一般的であった。
【０００６】
例えば、近年のスマートフォンに対する初期設定作業では、作業者が手作業でタッチパネルに対する画面操作を行って、使用言語や居住地域などの選択を行い、さらに、必要に応じてＩＤやパスワードの入力を手作業で行っていた。
【発明の概要】
【発明が解決しようとする課題】
【０００７】
しかしながら、上述したような手作業による初期設定は、多数の文字や数字を一字ずつ手入力しなければならないことが多く、設定操作が煩わしいといった問題がある。
【０００８】
特に、スマートフォンに対して設定を行う場合、タッチパネルに表示される小さなソフトウェアキーボードをタッチ操作して入力しなければならない為、極めて煩雑で、誤入力が生じ易い。
【０００９】
さらに、携帯販売代理店、会社、学校、各種団体などが一度に導入する携帯端末は、その数が多数であることもあり、その場合、初期設定作業には多くの時間を要し、コスト面でも負担が大きいという問題がある。
【００１０】
上述した従来技術の問題点に鑑み、本発明の目的は、各種携帯端末に対する初期設定を自動的に行うことを可能にする装置・方法を提供することにある。
【課題を解決するための手段】
【００１１】
上記目的は、工場出荷時状態の携帯端末を使用可能にするための初期設定を自動的に行う装置であって、
初期設定に必要な設定情報を携帯端末に対して送信する出力部と、
前記携帯端末を前記出力部に対して電気的に接続するためのケーブルと、
前記携帯端末の初期設定に必要なスクリプトを記憶するための情報記憶部と、
前記スクリプトの実行を制御するための制御部と、
前記制御部に対し前記スクリプトの実行を指示するための操作部と、を有しており、
制御部が前記スクリプトの実行を開始すると、該スクリプトに基づいて前記設定情報が生成され、出力部とケーブルを介して携帯端末に送信される、ことを特徴とする携帯端末の初期設定装置によって達成される。
【００１２】
上記初期設定装置において、
工場出荷時状態の携帯端末を使用可能にするための初期設定は、複数の設定項目を含んでおり、
初期設定に必要な前記設定情報には、例えば、
初期設定に必要な動作を携帯端末に実行させるための動作情報と、
設定項目に対する入力内容に関する入力情報と、
が含まれている。
【００１３】
また、上記初期設定装置では、例えば、前記情報記憶部がメモリーカードで構成され、
この場合には、メモリーカードから前記スクリプトを読み出すための読出部を更に有している。
【００１４】
また、上記初期設定装置は、例えば、インターネットを介して前記スクリプトを受信するための通信部を、更に有しており、
この場合、インターネットを介して受信した前記初期設定用スクリプトは、初期設定装置の情報記憶部で記憶される。
【００１５】
また、上記目的は、工場出荷時状態の携帯端末を使用可能にするための初期設定を自動的に行う方法であって、
携帯端末の電源を入れるステップと、
携帯端末を初期設定装置の出力部に対してケーブルを介して接続するステップと、
操作部から制御部に対し初期設定用スクリプトの実行を指示するステップと、
制御部が前記スクリプトに基づいて設定情報を生成し、出力部とケーブルを介して携帯端末に送信するステップと、
携帯端末が、初期設定装置から受信した前記設定情報に基づいて、初期設定に必要な動作を実行するステップと、
を含む携帯端末の初期設定方法によって達成される。
【００１６】
また、上記目的は、外部から入力された動作情報に基づいて携帯端末が動作する外部操作モードに設定可能に構成された携帯端末であって、工場出荷時状態の携帯端末を使用可能にするための初期設定を自動的に行う方法において、
携帯端末の電源を入れるステップと、
携帯端末を初期設定装置の出力部に対してケーブルを介して接続するステップと、
操作部から制御部に対し初期設定用スクリプトの実行を指示するステップと、
携帯端末を外部操作モードに設定するための情報を、初期設定装置が、出力部とケーブルを介して携帯端末に携帯端末に送信するステップと、
制御部が前記スクリプトに基づいて設定情報を生成し、出力部とケーブルを介して携帯端末に送信するステップと、
携帯端末が、初期設定装置から受信した前記設定情報に基づいて、初期設定に必要な動作を実行するステップと、
を含む携帯端末の初期設定方法によって達成される。
【００１７】
また、上記目的は、人手による直接的な操作によって携帯端末が動作する通常モードと、外部から入力された動作情報に基づいて携帯端末が動作する外部操作モードと、の間で切り替え可能に構成された携帯端末であって、工場出荷時状態の携帯端末を使用可能にするための初期設定を自動的に行う方法において、
携帯端末の電源を入れるステップと、
携帯端末を初期設定装置の出力部に対してケーブルを介して接続するステップと、
操作部から制御部に対し初期設定用スクリプトの実行を指示するステップと、
携帯端末を外部操作モードに切り替えるための切替情報を、初期設定装置が、出力部とケーブルを介して携帯端末に送信するステップと、
制御部が前記スクリプトに基づいて設定情報を生成し、出力部とケーブルを介して携帯端末に送信するステップと、
携帯端末が、初期設定装置から受信した前記設定情報に基づいて、初期設定に必要な動作を実行するステップと、
を含む携帯端末の初期設定方法によって達成される。
【００１８】
上記方法では、携帯端末での初期設定の完了後に、携帯端末を外部操作モードから通常モードに切り替えるための切替情報を、携帯端末に送信するステップを、さらに含んでいてもよい。
【００１９】
また、上記目的は、工場出荷時状態の複数の携帯端末を使用可能にする初期設定を自動的に行う方法であって、
複数の携帯端末の電源を入れるステップと、
各携帯端末を初期設定装置の出力部に対してケーブルを介して接続するステップと、
操作部から制御部に対し初期設定用スクリプトの実行を指示するステップと、
制御部が前記スクリプトに基づいて各携帯端末用の設定情報を個別に生成し、出力部とケーブルを介して複数の携帯端末に対して個別に送信するステップと、
各携帯端末が、初期設定装置から受信した前記設定情報に基づいて、初期設定に必要な動作を実行するステップと、
を含む携帯端末の初期設定方法によって達成される。
【発明の効果】
【００２０】
本発明によれば、工場出荷時状態の携帯端末を使用可能にするための初期設定を自動化することが可能になり、具体的には、以下に述べる優れた効果を達成することが可能になる。
【００２１】
本発明の初期設定装置は、工場出荷時状態の携帯端末を使用可能にするための初期設定を自動的に行う。初期設定の対象である携帯端末は、初期設定がなされていない工場出荷時の状態であり、その状態ではWi-FiやBluetooth（登録商標）などの無線通信機能や、通話機能、電子メールの送受信機能を発揮することができない。また、携帯端末にインストール済のアプリケーションを起動させることができず、また、新たなアプリケーションをインストールすることもできない。すなわち、工場出荷時状態では、携帯端末の電源を入れて起動させることはできるが、それを実質的に使用することができない。本発明の初期設定装置は、かかる工場出荷時状態の携帯端末に対して初期設定を自動的に行って、当該携帯端末を実質的に使用できるようにするための装置であって、次の構成を具備している。
・  初期設定に必要な設定情報を携帯端末に対して送信する出力部。
・  前記携帯端末を前記出力部に対して電気的に接続するためのケーブル。
・  前記携帯端末の初期設定に必要なスクリプトを記憶するための情報記憶部。
・  前記スクリプトの実行を制御するための制御部。
・  前記制御部に対し前記スクリプトの実行を指示するための操作部。
【００２２】
なお、ここでいう「初期設定」とは、工場出荷時の状態にある携帯端末であって、無線通信機能や通話機能などの諸機能を発揮することができない（すなわち実質的に使用することができない）携帯端末を、当該諸機能を発揮することができる状態（すなわち実質的に使用することができる状態）にするための設定を意味する。この初期設定を完了することで、携帯端末は、無線通信機能や通話機能などの諸機能を発揮することができるようになる。すなわち実質的に使用することができるようになる。
【００２３】
このような初期設定装置を使うことで、従来では多くを手作業に頼っていた初期設定作業を（手作業の多くを省いて）自動化することが可能になり、携帯端末に対する初期設定を簡単に且つ速やかに完了することが可能になる。
また、初期設定において、画面を見ながらの人手による入力操作が不要になるので、誤入力を無くすことができる。
さらに、一台の初期設定装置を使って、多数の携帯端末に対して同時に初期設定を行うことができるので、一度に多数の携帯端末を導入する場合における初期設定コストや手間を大幅に削減することが可能になる。
【００２４】
また本発明の初期設定装置では、ケーブルを使った有線通信により設定情報を携帯端末に対して送信するので、無線通信機能を発揮不可能な工場出荷時状態の携帯端末であっても、外部（初期設定装置）から設定情報を確実に受信することができる。
また本発明の初期設定装置は、携帯端末に対する初期設定において無線通信機能を一切必要としないので、無線通信機能を発揮不可能な工場出荷時状態の携帯端末に対して、確実に初期設定を行うことができる。
【００２５】
また本発明の初期設定装置が携帯端末に対して送信する設定情報（初期設定に必要な情報）には、少なくとも、動作情報と入力情報が含まれている。
携帯端末に対して送信する設定情報に「動作情報」を含ませることで、（携帯端末を人手で操作してなくても）携帯端末に所定の動作を行わせることができる。したがって、携帯端末に対する人手による操作を省いても、設定項目の選択、設定内容の選択、設定不要項目のスキップ、「次へ」や「戻る」などの画面遷移、その他の各種動作を（従来の人手による画面操作などと同様に）携帯端末に実行させることができる。なお従来では、初期設定の際に携帯端末に所定の動作を行わせるために、例えば、作業者が手作業でタッチパネルに対するタップやスワイプなどのタッチ操作を行っていた。
また、携帯端末に対して送信する設定情報に「入力情報」を含ませることで、（携帯端末に対して人手により入力してなくても）携帯端末に所定の内容を入力することができる。例えば、Ｗｉ−Ｆｉネットワークの設定項目において、ＳＳＩＤ（無線ＬＡＮのアクセスポイントを識別するための情報）や、暗号化キー（パスワード）を入力することができる。また、携帯端末の使用者を識別するためのＩＤや、アカウント、メールアドレスなどの情報を入力することができる。なお従来では、これらの各種情報を入力するために、例えば、作業者が手作業でタッチパネルに対するタッチ操作を行って、一文字一文字を目視しながら手入力していた。
【００２６】
また本発明の初期設定装置では、例えば、情報記憶部がメモリーカードで構成されている。携帯端末の初期設定に必要なスクリプトの内容は、例えば携帯端末を導入する企業ごとに異なるので、初期設定の依頼先ごと（例えば企業ごと）に個別にメモリーカードを用意することで、携帯端末の誤設定を防止することができる。
【００２７】
また本発明の初期設定装置は、携帯端末の初期設定に必要なスクリプトを、インターネットを介して受信するように構成されている。これにより、スクリプトの入手が簡単で迅速になり、様々な企業、団体、学校、携帯販売代理店などからの初期設定依頼に対して、迅速に対応することができる。
【００２８】
また本発明の初期設定方法によれば、例えば押しボタンなどからなる操作部を使って、制御部に対し初期設定用スクリプトの実行を指示するだけで、初期設定が自動的に開始され、その後は、初期設定装置から携帯端末に対して設定情報が送信されて、初期設定が自動的に進行する。すなわち、例えばボタンを一回押すだけで、携帯端末に対する初期設定を自動的に進めることができる。
したがって、従来のように、携帯端末に対するタッチ操作といった手作業による初期設定が不要になるので、携帯端末の初期設定が簡単になるといった優れた効果が達成される。また、従来に比べて初期設定に必要な作業が大幅に簡略化されるので、携帯端末の操作に不慣れな者であっても、簡単かつ確実に初期設定を行うことができる。
【００２９】
また本発明を使って初期設定可能な携帯端末には、「通常モード」と「外部操作モード」の間で切り替え可能に構成された携帯端末が含まれる。
このような携帯端末は、
・  「通常モード」では、携帯端末に対する人手による直接的な操作によって該携帯端末が動作する。例えば、通常モードの携帯端末のタッチパネルに対して、タップやスワイプなどの人手によるタッチ操作を行うことで、それに反応して携帯端末が動作する。
・  「外部操作モード」では、ケーブルを介して外部から入力された動作情報に基づいて、（人手による直接的な操作が無くてもこれと同様に）携帯端末が動作する。すなわち、「外部操作モード」では、タッチ操作等の人手による操作に反応して携帯端末が動作するのではなく、ケーブルを介して携帯端末に入力される情報に反応して携帯端末が動作する。
このようなタイプの携帯端末に対する初期設定では、携帯端末を外部操作モードに切り替えるための切替情報を、初期設定装置が携帯端末に送信する。これにより、「通常モード」と「外部操作モード」に手作業で切り替える手間が省けるので、このようなタイプの携帯端末に対する初期設定作業を簡略化することができる。
【００３０】
また、上述した「通常モード」と「外部操作モード」の間で切り替え可能に構成された携帯端末に対する初期設定の場合には、当該携帯端末での初期設定の完了後に、携帯端末を通常モードに切り替えるための切替情報を、携帯端末に送信してもよい。
これにより、初期設定の完了後に「外部操作モード」を「通常モード」に手作業で切り替える手間が省けるので、初期設定完了後すぐに当該携帯端末を通常どおりに（通常モードで）使用することができる。
【図面の簡単な説明】
【００３１】
【図１】初期設定装置の機能的構成の一例を示すブロック図である。
【図２】初期設定装置の機能的構成の他の例を示すブロック図である。
【図３】初期設定方法の一例を示すフローチャートである。
【図４】外部操作モードに設定された携帯端末における初期設定時の画面を例示する図である。
【発明を実施するための形態】
【００３２】
（携帯端末）
はじめに、本発明を利用した初期設定の対象である携帯端末について説明する。
【００３３】
本発明を利用した初期設定の対象である携帯端末は、携帯型の情報端末であり、その具体例としては、iOS（登録商標）やAndroid（登録商標）と称されるオペレーティングシステムを搭載したスマートフォン、タブレット端末、携帯電話などが挙げられる。
以下一例として、携帯端末が「iOSを搭載したスマートフォン」である場合を想定して、本発明の実施形態について説明する。
【００３４】
本実施形態で初期設定の対象とする携帯端末は、タッチパネル、ストレージ、ケーブル接続部、制御部などを備えている。
【００３５】
タッチパネルは、透明な材質で形成されており、その下層に表示パネルを備えている。
上層側のタッチパネルは、その表面に対してユーザの指先がタッチする位置、すなわち当該タッチ位置の座標やそのタッチ位置の変化などを検知するセンサーを具備している。このセンサーによりタッチパネルに対するタッチ操作を検出することができる。タッチパネルに対するタッチ位置を検出する具体的方法としては、抵抗膜方式、静電容量方式、電磁誘導方式、超音波表面弾性波方式などの様々な方式が一般的に知られている。
下層側の表示パネルは、液晶ディスプレイや有機ＥＬディスプレイなどから構成される。この表示パネルには、制御部による制御のもと、初期設定用の各種項目の画像や文字情報などのほか、アイコンなどの画像、動画などの映像といった様々な情報が表示される。
【００３６】
携帯端末の初期設定の画面では、例えば、「言語」、「国または地域」、「キーボード」、「Wi-Fiネットワーク」、「ＩＤ」、「利用規約」などの設定項目が順番に表示される。従来の場合では、表示画面にしたがってタップやスライドなどのタッチ操作を行い、設定内容を選択し、または、ソフトウェアキーボードを使って設定内容を手入力する。すなわち、初期設定対象の携帯端末のタッチパネルを作業者が自己の指で直接的にタッチ操作することによって、初期設定作業が行われている。
【００３７】
ストレージは、プログラムや各種データを記憶するための情報記憶部である。
【００３８】
ケーブル接続部は、ＵＳＢケーブル等を介してＵＳＢ機器と接続することが可能なＵＳＢインターフェースである。初期設定の対象である携帯端末は、このケーブル接続部と、これに接続したＵＳＢケーブルを介して、後述する初期設定装置に電気的に有線接続され、当該初期設定装置から初期設定に必要な情報（動作情報や入力情報）を受信する。
【００３９】
携帯端末が初期設定装置から受信する情報は、当該携帯端末の初期設定に必要な情報（設定情報）であって、例えば次のような情報が含まれる。
・初期設定に必要な動作を携帯端末に実行させるための動作情報。
・設定項目に対する入力内容に関する入力情報。
【００４０】
制御部は、ＣＰＵなどのプロセッサで構成され、ストレージに記憶されているプログラムを読み込んで実行するほか、上記の各部を制御する役割を担う。
【００４１】
本実施形態で利用する携帯端末は、「iOSを搭載したスマートフォン」である場合を想定している。iOSを搭載したスマートフォンは、「ボイスオーバー（登録商標）」機能を搭載している。
【００４２】
ボイスオーバー機能を無効化した状態では、携帯端末は、人手による直接的な操作によって携帯端末が動作する「通常モード」に設定される。一方、ボイスオーバー機能を有効化した状態では、携帯端末は、外部から入力された動作情報に基づいて携帯端末が動作する「外部操作モード」に設定される。すなわち、ボイスオーバー機能を無効化・有効化することで、携帯端末のモードを、「通常モード」「外部操作モード」の間で切り替えることができる。
【００４３】
（携帯端末のボイスオーバー機能）
本実施形態で例示する携帯端末は、iOSを搭載したスマートフォンで構成され、「ボイスオーバー（登録商標）」機能を有している。ボイスオーバー機能は、視覚障害者等が携帯端末を利用し易くなるように設けられた機能である。
【００４４】
ボイスオーバー機能を有効化させた状態では、タッチパネルをタッチすると、タッチした位置に配置される項目等の名称が音声によって読み上げられる。
この音声読み上げ機能により、聴覚を頼りに携帯端末の操作が可能となることから、視覚障害者による携帯端末の操作をサポートできる。
また、ボイスオーバー機能を有効化させると、タッチパネルに表示されている複数項目のうち、選択された項目が黒枠で囲まれた状態で表示される。図４参照。項目の選択を示すこの黒枠を、本実施形態で「カーソル」と称する。カーソルを表示することで、視弱者は、自身がタッチ・選択したおおよその位置や項目を把握できる。
【００４５】
また、iOSを搭載したスマートフォンが持つボイスオーバー機能は、次のような特徴を有している。
【００４６】
携帯端末のボイスオーバー機能を無効化した状態では、携帯端末は、人手による直接的な操作（タッチパネルに対するタッチ操作）によって該携帯端末が動作する「通常モード」にセットされる。
一方、携帯端末のボイスオーバー機能を有効化した状態では、携帯端末は、外部から入力された動作情報に基づいて該携帯端末が動作する「外部操作モード」にセットされる。
【００４７】
外部操作モードのときに、所定の動作情報が外部から携帯端末に入力されると、該携帯端末は、この動作情報に対応した動作を行う。例えば、下記表１の左欄に示す動作情報が携帯端末に外部入力されると、それに対応する右欄の動作が（携帯端末に対する直接的な画面操作無しで）携帯端末で実行される。
【表１】
2019087793.tif 000003
【００４８】
例えば、「右矢印」のキー情報からなる動作情報が入力されると、カーソルを次の項目に移動させる動作（次の項目を選択させる動作）を実行し、その結果、画面に表示されているカーソルは、次の項目を囲む位置に移動する。
また、「左矢印」のキー情報からなる動作情報が入力されると、カーソルを前の項目に移動させる動作（前の項目を選択させる動作）を実行し、その結果、画面に表示されているカーソルは、前の項目を囲む位置に移動する。
また、「上矢印」と「下矢印」のキー情報からなる動作情報が入力されると、携帯端末は、タップに相当する動作を実行し、その結果、カーソルにより現在選択されている項目が実行され、または項目の選択が確定する。
なお、表１に示す動作情報と、それに対応する携帯端末の動作は、一例であって、本発明で利用可能な動作情報はこれに限定されるものではない。
【００４９】
本実施形態では、このような、本来視覚障害者のために用意されたボイスオーバー機能を利用することで、携帯端末に対する初期設定の自動化を実現する。
【００５０】
なお、本発明の初期設定装置を利用して初期設定可能な携帯端末は、このようなボイスオーバー機能を具備する端末に限定されない。すなわち、ケーブルを介して外部入力された動作情報に基づいて携帯端末が動作可能なものであれば、いかなるタイプの携帯端末であっても、本発明の初期設定装置の適用対象である。
【００５１】
（初期設定装置）
次に、主として図１に基づいて、初期設定装置の構成について説明する。
【００５２】
本実施形態の初期設定装置は、携帯端末に対する初期設定を自動的に行うために用いられる。
ここでいう「初期設定」とは、工場出荷時の状態にある携帯端末であって、無線通信機能や通話機能などの諸機能を発揮することができない（すなわち実質的に使用することができない）携帯端末を、当該諸機能を発揮することができる状態（すなわち実質的に使用することができる状態）にするための設定を意味する。この初期設定を完了することで、携帯端末は、無線通信機能や通話機能などの諸機能を発揮することができるようになる。すなわち携帯端末を実質的に使用することができるようになる。
【００５３】
本実施形態の初期設定装置は、図１に示すように、
・各種情報を表示するための表示部と、
・制御部に対しスクリプトの実行を指示するための操作部と、
・操作部からの信号を制御部に送信するための入力部と、
・初期設定に必要な設定情報を携帯端末に対して送信する出力部と、
・携帯端末を出力部に対して電気的に接続するためのＵＳＢケーブルと、
・携帯端末の初期設定に必要なスクリプトを記憶するための情報記憶部と、
・スクリプトの実行を制御するための制御部と、
を有している。
【００５４】
表示部は、ＬＥＤや液晶モニターなどで構成され、例えば、「初期設定装置におけるスクリプトの実行中」、「スクリプトの実行完了」、「携帯端末での初期設定の完了」、「エラーの発生」などの状態や事実を表示する役割を担っている。
このように、表示部に各種の情報を表示することで、例えば、スクリプトの実行途中でのＵＳＢケーブルの引抜きや、実行途中での電源遮断などの作業ミスを防止することができる。
また、スクリプトの実行完了を表示部から視覚的に把握することができれば、多数の携帯端末に対する初期設定作業を迅速に進めることができる。
また、表示部に液晶モニターなどを採用する場合には、実行するスクリプトの名称（例えばファイル名）を表示させることも可能である。これにより、スクリプトの取り間違えによる誤設定を防止することができる。また、出力部に接続した携帯端末の台数を表示させることもできる。これにより、現在の接続台数を画面表示から確認することができ、また、ケーブルの接続ミスを防止することができる。
【００５５】
操作部は、例えば、制御部に対しスクリプトの実行を指示する押しボタンで構成される。初期設定の前準備が整った段階で、作業者が押しボタンを押すことで、操作部が入力部を介して制御部に対しスクリプトの実行を指示し、各携帯端末に対する初期設定が自動的に開始される。接続した各携帯端末に対する初期設定の流れについては後述する。
【００５６】
出力部は、ＵＳＢ機器との接続インターフェースであり、具体的には、ＵＳＢケーブルを接続可能なＵＳＢポートを複数有している。初期設定対象の携帯端末は、ＵＳＢケーブルを介して出力部に電気的に接続される。出力部からＵＳＢケーブルを介して携帯端末に送信されるデータには、携帯端末に項目の設定を行わせるための動作情報がある。
なお、本実施形態では、出力部に複数のＵＳＢポートを設けているが、その数は特に限定されない。また、本実施形態では、一例として最大で１０台の携帯端末に対して初期設定可能な構成を採用しているが、同時に初期設定可能な（すなわち接続可能な）携帯端末の台数は特に限定されない。
【００５７】
情報記憶部は、例えば、情報を書き換え可能なメモリーカードで構成される。そのため、本実施形態の情報記憶部は、メモリーカードからスクリプトを読み出すためのカードスロット（読出部）を有しており、このカードスロットは制御部に電気的に接続されている。メモリーカードからなる情報記憶部は、携帯端末に対する初期設定を実行するためのスクリプト（初期設定プログラム）を書き換え可能に記憶している。
【００５８】
制御部は、ＣＰＵなどのプロセッサで構成され、上記の各部を制御するほか、情報記憶部に記憶されているスクリプト（初期設定プログラム）を読み込んで実行する役割を担う。制御部は、スクリプトを読み込んで実行することで、初期設定に必要な一連の設定情報（一連の動作情報）を生成し、生成した一連の設定情報を出力部を介して携帯端末に向けて順番に送信する。
【００５９】
「一連の設定情報」とは、携帯端末に所定の動作（カーソルの移動、項目の選択、設定内容の入力など）を順に行わせるための情報である。一連の設定情報は、具体的には、次の（ａ）（ｂ）（ｃ）の動作情報の組合せを含んで構成される情報である。各動作情報に対応する携帯端末の動作は表１を参照。
（ａ）  「右矢印」のキー情報からなる動作情報（第１の動作情報）
（ｂ）  「左矢印」のキー情報からなる動作情報（第２の動作情報）
（ｃ）  「上矢印」と「下矢印」のキー情報からなる動作情報（第３の動作情報）
【００６０】
例えば、ボイスオーバー機能が有効化され、外部操作モードの携帯端末に、
・「次の項目に移動」に相当するカーソル動作を３回実行させ、
・３回移動したカーソル位置で選択を実行し、
・続いて、「前の項目に戻る」に相当するカーソル動作を３回実行させる場合には、
次の（１）（２）（３）の順で、一連の動作情報を携帯端末に向けて順番に送信する。
（１）  「右矢印」のキー情報からなる動作情報を３回連続して送信し、
（２）  「上矢印」と「下矢印」のキー情報からなる動作情報を１回送信し、
（３）  「左矢印」のキー情報からなる動作情報を３回連続して送信する。
【００６１】
すなわち、上述した「一連の設定情報」は、初期設定に必要な動作を携帯端末に実行させるための動作情報であって、上記（ａ）（ｂ）（ｃ）の動作情報を所定の順番で並べたものを含んで構成される。（ａ）（ｂ）（ｃ）の各動作情報は、複数回利用してもよく、複数回連続して利用してもよい。
【００６２】
このように本実施形態では、カーソルの移動や、設定内容の確定などに対応する動作情報を外部操作モードの携帯端末に送信することで、当該携帯端末にカーソルの移動を行わせ、当該移動後のカーソルが付された項目の設定を行わせるようにしている。なお、例えば、Ｗｉ−Ｆｉネットワークの設定項目において、ＳＳＩＤ（無線ＬＡＮのアクセスポイントを識別するための情報）や、暗号化キー（パスワード）を入力する場合には、携帯端末のソフトウェアキーボードを使うので、上述した一連の動作情報を携帯端末に向けて順番に送信することで、必要な情報を入力することができる。
【００６３】
このため、携帯端末は、初期設定装置から送信された前記動作情報を受信すると、その動作情報に対応した動作によって、この携帯端末の初期設定の対象項目についての設定動作が自動的に行われる。
【００６４】
なお、上述した実施形態では、初期設定に必要な設定情報（携帯端末に送信される一連の設定情報）は、初期設定に必要な動作を携帯端末に実行させるための動作情報で構成しているが、設定情報の構成はこれに限定されない。
すなわち、初期設定に必要な設定情報には、
・初期設定に必要な動作を携帯端末に実行させるための動作情報と、
・設定項目に対する入力内容に関する入力情報と、
の２種が含まれていてもよい。
これにより、ソフトウェアキーボードを使わない場合や、ソフトウェアキーボードの機能を具備しない携帯端末に対して初期設定する場合でも、ＳＳＩＤや暗号化キーなどの必要情報を入力することが可能になる。
【００６５】
また、図面では省略しているが、初期設定装置は、外部電源を利用するための電源部を具備してもよい。これにより、初期設定装置の消費電力や作業時間にかかわらず、何時間でも初期設定の作業を連続で行うことができる。また、外部電源から供給される豊富な電力を利用して、初期設定対象の携帯端末を充電することも可能である。これにより、初期設定の処理途中での電池切れを確実に防止することができ、また、初期設定した携帯端末を満充電に近づけた状態で納品することができる。
また、初期設定装置は、起動用の電力供給源としてバッテリーを搭載していてもよい。これにより、場所を問わず、どこでも初期設定の作業を行うことができる。また、この場合にも、バッテリーから供給される電力を利用して、初期設定対象の携帯端末を充電することも可能である。
また、初期設定装置は、初期設定対象の携帯端末から起動用電力が供給されるように構成してもよい。
【００６６】
また、上述した実施形態では、情報記憶部をメモリーカードで構成し、これに予め携帯端末の初期設定に必要なスクリプトを記憶させているが、これに替えて、図２に示すような実施形態を採用することも可能である。
図２に示す初期設定装置は、インターネットを介して前記スクリプトを受信するための通信部を有しており、インターネットを介して受信した初期設定用スクリプトは、初期設定装置の情報記憶部に記憶されるようになっている。
【００６７】
（携帯端末に対する初期設定方法）
次に、主として図３に基づいて、携帯端末に対する初期設定方法の具体的実施形態について説明する。
【００６８】
携帯端末に対する初期設定を行うにあたっては、はじめに前準備を行う。
前準備では、はじめに初期設定対象の複数の携帯端末を起動させる＜図３のステップS1＞。以後、各携帯端末はスタンバイ状態で待機する＜S31＞。
続いて、各携帯端末を図１に例示するようにＵＳＢケーブルを介して初期設定装置に個別に接続する＜S3＞。また、これらの携帯端末の初期設定に必要なスクリプトを記憶する情報記憶部（メモリーカード）をカードスロットに差し込む＜S5＞。
以上で、初期設定の前準備が完了する。
【００６９】
次に、初期設定装置を起動させる＜S11＞。
前述したとおり、初期設定装置の起動用の電力は、当該装置が備えるバッテリーから供給されてもよく、または、外部電源から供給されてもよく、あるいは、充電済みの携帯端末から供給されてもよい。
【００７０】
次に、初期設定装置は、操作部が具備する押しボタンが押されるまでスタンバイ状態で待機する＜S13, S15の判断No＞。
【００７１】
そして、操作部の押しボタンが押されると＜S15の判断Yes＞、携帯端末のボイスオーバー機能（VoiceOver）を有効化させる。具体的には、携帯端末のモードを「通常モード」から「外部操作モード」に切り替えるためのモード切替情報が初期設定装置から各携帯端末に送信され＜S17＞、各携帯端末は、このモード切替情報を受けて、自己のモードを「外部操作モード」に切り替える＜S33＞。これにより、接続されているすべての携帯端末のボイスオーバー機能が有効となる。以後は、このボイスオーバー機能を利用して、各携帯端末の初期設定を進めることができる。
【００７２】
なお、本実施形態では、初期設定装置から携帯端末に対し所定のモード切替情報を送信することで、該携帯端末のボイスオーバー機能を有効化させているが、ボイスオーバー機能の有効化は、前準備において手作業で行うことも可能である。その場合、例えば、携帯端末のホームボタンを手作業で３回連続で押すことで、ボイスオーバー機能の有効化させることができる。また、この場合には、図３に示すS17, S33の各処理は不要である。
【００７３】
また、操作部の押しボタンが押されると、制御部に対し初期設定用スクリプトの実行が指示される。スクリプトの実行において制御部は、情報記憶部（メモリーカード）からスクリプトを読み込んで＜S19＞、該スクリプトに基づいて一連の動作情報（設定情報）を生成する＜S21＞。動作情報の種類については表１を参照。このように生成された一連の動作情報（設定情報）は、予め定めた順序で、出力部とケーブルを介して各携帯端末に個別に送信される＜S23＞。
【００７４】
一連の動作情報（設定情報）を受信した各携帯端末は、順次送られてくる動作情報に基づいて、カーソルの移動や項目の選択、選択項目の確定、設定項目への入力などの動作を順次実行する＜S35＞。すなわち、一連の動作情報の受信順序で携帯端末が所定の動作（動作情報に対応する動作）を実行する。そして、初期設定に必要な動作をすべて完了した時点で、当該携帯端末の初期設定が完了する＜S37＞。初期設定が完了すると、携帯端末は、無線通信機能や通話機能などの諸機能を発揮できるようになり、ユーザが実質的に使用することが可能な状態となる。
【００７５】
一方、初期設定装置は、携帯端末の初期設定に必要なすべての動作情報の送信を終えると、接続されている複数の携帯端末のすべてについて初期設定が完了したか否かについて判断する＜S25＞。このような判断を行うことで、例えば、初期設定の途中でのケーブルの引き抜きや初期設定装置の電源遮断といった致命的ミスを防止することができる。
【００７６】
携帯端末において初期設定に必要な動作が完了したか否かは、例えば、初期設定が完了した携帯端末から、所定の電話番号へ架電させることで判断することができる。
また、このような判断を行うために、初期設定が完了した携帯端末が具備するＬＥＤを点灯または点滅させたり、あるいは、タッチパネルに初期設定の完了を示す情報を表示させてもよい。あるいは、携帯端末が具備するスピーカから、初期設定の完了を知らせる音を出力させてもよい。
また、初期設定が完了した携帯端末から、所定のアドレス宛てに電子メールを送信させることで判断することも可能である。
なお、上述した架電、電子メールの送信、ＬＥＤの点灯または点滅、初期設定完了を示す画像表示、スピーカからの出力などは、初期設定装置から外部操作モードの携帯端末（初期設定済みの携帯端末）に対し所定の動作情報を送信することで、実行することが可能である。
【００７７】
また、携帯端末において初期設定に必要な動作が完了したか否かを判断するために、ステップS25において、所定時間（すべての携帯端末の初期設定の完了に必要と考えられる時間）が経過するまで待機してもよい。これにより、携帯端末における初期設定の完了を簡単に判断することができる。
【００７８】
そして、すべての携帯端末において初期設定が完了したら＜S25の判断Yes＞、携帯端末のボイスオーバー機能を無効化させる。具体的には、携帯端末のモードを「外部操作モード」から「通常モード」に切り替えるためのモード切替情報が初期設定装置から各携帯端末に送信され＜S27＞、各携帯端末は、このモード切替情報を受けて、自己のモードを「通常モード」に切り替える＜S39＞。これにより、接続されているすべての携帯端末のボイスオーバー機能が無効となる。
【００７９】
以上で、対象の携帯端末に対する初期設定の処理が完了する。
なお、初期設定方法を構成する各処理（各ステップ）の実行順序は、上述したものに特に限定されるものではなく、携帯端末に対する初期設定を妨げない限りその順序を入れ替えることが可能である。
【００８０】
（携帯端末における初期設定画面の具体例）
次に、図４に基づいて、携帯端末における初期設定の具体例について説明する。
【００８１】
図４（ａ）は、外部操作モードに設定された携帯端末における初期設定時の画面であって、「言語」の設定に関する画面（初期設定時の携帯端末の動作の一時点）を例示している。
図４（ａ）に示す事例では、携帯端末が初期設定装置から動作情報を受信した結果、携帯端末の画面上のカーソルが「日本語」を囲む位置に移動している。すなわち、図示する状態では、言語設定として「日本語」が未確定の状態で選択されている。なお、他の言語を選択する場合には、初期設定装置から送信される一連の動作情報に基づいて、カーソルが目的の位置まで１項目ずつ移動する。
図示するカーソル位置で、携帯端末が初期設定装置から「上矢印＋下矢印」の動作情報（タップに相当）を受信すると、言語設定は日本語で確定し、続いて、携帯端末の画面は、次の設定項目の画面へ遷移する。
【００８２】
図４（ｂ）は、外部操作モードに設定された携帯端末における初期設定時の画面であって、「国または地域」の設定に関する画面（初期設定時の携帯端末の動作の一時点）を例示している。
図４（ｂ）に示す事例では、携帯端末が初期設定装置から一連の動作情報を受信した結果、携帯端末の画面上のカーソルが「日本」を囲む位置に移動している。すなわち、図示する状態では、国または地域の設定として「日本」が未確定の状態で選択されている。
このカーソル位置で、携帯端末が初期設定装置から「上矢印＋下矢印」の動作情報（タップに相当）を受信すると、国または地域の設定は日本で確定し、続いて、携帯端末の画面は、次の設定項目の画面へ遷移する。
【００８３】
図４（ｃ）は、外部操作モードに設定された携帯端末における初期設定時の画面であって、「キーボード」の設定に関する画面（初期設定時の携帯端末の動作の一時点）を例示している。
図４（ｃ）に示す事例では、携帯端末が初期設定装置から一連の動作情報を受信した結果、キーボードの設定として「日本語かな」「絵文字」「English (Japan)」の３つが選択され、さらに、携帯端末の画面上のカーソルが「次へ」を囲む位置に移動している。すなわち、図示する状態では、これらのキーボード設定が未確定の状態で選択されている。
図示する位置までカーソルが移動した時点で、携帯端末が初期設定装置から「上矢印＋下矢印」の動作情報（タップに相当）を受信すると、選択されているキーボード設定が確定し、続いて、携帯端末の画面は、次の設定項目の画面へ遷移する。
【００８４】
図４（ｄ）は、外部操作モードに設定された携帯端末における初期設定時の画面であって、「利用規約」の同意に関する画面（初期設定時の携帯端末の動作の一時点）を例示している。
図４（ｄ）に示す事例では、携帯端末が初期設定装置から一連の動作情報を受信した結果、携帯端末の画面上のカーソルが「同意する」を囲む位置に移動している。すなわち、図示する状態では、利用規約に同意することが未確定の状態で選択されている。
図示する位置までカーソルが移動した時点で、携帯端末が初期設定装置から「上矢印＋下矢印」の動作情報（タップに相当）を受信すると、利用規約を「同意する」で確定し、続いて、携帯端末の画面は、次の設定項目の画面へ遷移する。
【００８５】
なお、初期設定装置からの一連の動作情報は、間をあけずに続けて送信されるので、携帯端末におけるカーソルの移動や選択項目の確定などは、間をあけずに連続で実行される。カーソルの移動は、縦方向（または横方向）において、選択可能または入力可能な項目について１項目ごとに行われる。
【００８６】
また、携帯端末の初期設定をユーザの希望どおりに完了させるために必要な動作（カーソルの移動回数や選択項目を確定させるカーソル位置など）は、携帯端末の種類やＯＳの種類、入力するＩＤや暗号化キーなどによって異なる。そのため、対象の携帯端末の初期設定画面を予め確認し、また、選択・入力すべき項目の相対位置を把握し、さらに、ＩＤや暗号化キーなどの入力内容を考慮に入れて、初期設定用のスクリプトを設計する。これにより、当該スクリプトに基づいて必要な動作情報（一連の動作情報）が生成されて、初期設定時において携帯端末が設計どおりに動作し、また、ＩＤや暗号化キーなどを誤りなく入力することができる。
【００８７】
以上のように、本実施形態の初期設定装置および初期設定方法によれば、有線接続された外部操作モードの携帯端末に対し、初期設定装置から一連の動作情報を順次送信することで、携帯端末において、初期設定に必要な項目の設定を自動で行わせることができる。
【図１】
2019087793.tif 000004
【図２】
2019087793.tif 000005
【図３】
2019087793.tif 000006
【図４】
2019087793.tif 000007